(57)【要約】      （修正有）【課題】電磁気妨害防止用遮蔽マスクの構造を提供する。【解決手段】電磁気妨害防止用遮蔽マスクの構造は、マスク体１１を一つ具え、マスク体の内部に収納空間を一つ設けることにより、電子素子を収納するように用いられることが出来る。マスク体のヘッド部近所の四周辺エッジ箇所に仮断線１１３を設け、仮断線が枠型を呈し、マスク体のヘッド部の隣接する仮断線の位置に少なくとも一つの空け穴１１４を設けることにより、鋭い道具を利用して挿し込んで上向きに開けることに寄与でき、マスク体のヘッド部には、上向きに開けることが可能な一枚のカバー板１１５を形成し、これにより遮蔽マスクを一つ構成し、遮蔽マスク１が回路基板にセットされた電子素子の外部に被覆できる。【選択図】図２Ａ
0003136453.tif 000002
【実用新案登録請求の範囲】
【請求項１】
マスク体を一つ具え、当該マスク体の内部に収納空間を一つ設けた電磁気妨害防止用遮蔽マスクの構造であって、当該マスク体のヘッド部に近いエッジ箇所には枠型を呈する仮断線を一つ設け、当該マスク体のヘッド部に少なくとも一つの空け穴を設けることにより、当該マスク体のヘッド部には、上向きに開けることが可能な一枚のカバー板を形成することを特徴とする電磁気妨害防止用遮蔽マスクの構造（三）。
【請求項２】
当該マスク体は、金属部であることを特徴とする請求項１記載の電磁気妨害防止用遮蔽マスクの構造（三）。
【請求項３】
当該マスク体は、一つのヘッド板と当該ヘッド板のエッジから下向きに延伸した側板とを含み、当該収納空間が当該ヘッド板と側板と間に形成されたことを特徴とする請求項１記載の電磁気妨害防止用遮蔽マスクの構造（三）。
【請求項４】
当該空け穴は、マスク体のヘッド部の両側辺、中間または一側辺に設けられたことを特徴とする請求項１記載の電磁気妨害防止用遮蔽マスクの構造（三）。
【請求項５】
当該マスク体の上に少なくとも一つの突出部を設け、当該空け穴が当該突出部の内側に形成されたことを特徴とする請求項１記載の電磁気妨害防止用遮蔽マスクの構造（三）。
【請求項６】
当該マスク体の内部において、カバー板の開けた箇所の対辺位置に接続品を一つ設け、当該接続品は当該カバー板と当該マスク体に接続されたことを特徴とする請求項１記載の電磁気妨害防止用遮蔽マスクの構造（三）。
【請求項７】
当該接続品は、薄膜であることを特徴とする請求項６記載の電磁気妨害防止用遮蔽マスクの構造（三）。
【請求項８】
当該空け穴は、当該マスク体上の隣接する仮断線の位置に設けられたことを特徴とする請求項１記載の電磁気妨害防止用遮蔽マスクの構造（三）。
【考案の詳細な説明】
【技術分野】
【０００１】
本考案は、電磁気妨害防止用遮蔽マスクの構造（三）に関し、特に電子素子の外部を被覆するように用いられることが出来、電磁波の遮蔽効果を提供し且つコストを低減できる遮蔽マスクの構造を指す。
【背景技術】
【０００２】
電磁波の妨害（ＥＭＩ）がチップ、中央処理装置などの電子素子の動作に影響を及ぼすことを防止するために、市場では既に電磁気の妨害を防止するように用いられる遮蔽マスク（例えば図１）があるが、当該遮蔽マスク７は一つの下カバー７１と一つの上カバー７２を含んでなる。当該下カバー７１は枠型を呈し、当該上カバー７２は下カバー７１に対応する板状体で、当該上カバー７２が下カバー７１のヘッド部に固着し、これにより中空状の遮蔽マスク７を構成する。そしてそれが回路基板８上にセットされた電子素子９の外部を被覆でき、且つ当該遮蔽マスク７が回路基板８上に適当に固定される。従って当該遮蔽マスク７にて電磁波の遮蔽効果を提供できることにより、電磁波の妨害が電子素子９の動作に影響を及ぼすことを防止する。
【０００３】
前述の従来の遮蔽マスク７は、ツー・ピースの組立て式で、その下カバー７１及び上カバー７２はいずれも金属打ち抜き品で、すべて金型により成型する必要がある。従ってその製造コストが比較的高くなる。
【０００４】
従って、以上から、前述の従来の遮蔽マスクの構造は、実使用上では、不便と欠点を著しく具備し、そして更なる改善を期待できることが分かる。
【０００５】
ゆえに本考案者は、前述の改善可能な欠点に鑑み、特に鋭意研究をし且つ学理の運用に対応し、ついに設計が合理で且つ有効に前述の欠点を改善する本考案を提出する。
【考案の開示】
【０００６】
本考案の主要な目的は、電磁気妨害防止用遮蔽マスクの構造（三）を提供できるものにあり、それが電子素子の外部を被覆するように用いられることが出来、電磁波の遮蔽効果を提供し、且つその製造コストが比較的低くくなり、また必要な資材コストを大幅に低減できる。
【０００７】
前述の目的を達成するために、本考案は電磁気妨害防止用遮蔽マスクの構造（三）を提供し、それがマスク体を一つ具え、当該マスク体の内部に収納空間を一つ設け、当該マスク体のヘッド部に近いエッジ箇所には枠型を呈する仮断線を設け、当該マスク体のヘッド部に少なくとも一つの空け穴を設けることにより、当該マスク体のヘッド部には、上向きに開けることが可能な一枚のカバー板を形成する。
【０００８】
本考案は、主として遮蔽マスクのマスク体のヘッド部に枠型を呈する仮断線を設け、隣接する仮断線の位置には、少なくとも一つの空け穴を設け、鋭い道具を利用して挿し込んで上向きに開けることに寄与できることにより、マスク体のヘッド部には、上向きに開けることが可能な一枚のカバー板を形成する。当該カバー板の開けが非常に簡単且つ容易で、電子素子の補修に寄与できる。また当該遮蔽マスクのマスク体がワン・ピース式で、一つの金型のみにより成型する必要があるだけであり、従ってその製造コストが比較的低くくなり、また必要な資材コストを大幅に低減できる。
【０００９】
本考案の特徴および技術内容をより理解できるために、以下の本考案に関する詳細な説明及び図面を参照するが、しかしながら添付の図面が参考と説明用にだけ供し、本考案をより限定するように用いられるものではない。
【考案を実施するための最良の形態】
【００１０】
図２Ａと図３を参照する。本考案は電磁気妨害防止用遮蔽マスクの構造（三）を提供し、当該遮蔽マスク１は金属材料から製造され、それが電子素子２（例えば図４）の外部を被覆するように用いられることが出来るマスク体１１を一つ具える。当該マスク体１１は箱形又は他の形状を呈する中空体であるが、その形状は限定されなく、電子素子２の外観の違いにより適当な変化が可能である。
【００１１】
当該マスク体１１は、金属材料を打ち抜いてなる金属品で、一つのヘッド板１１１と当該ヘッド板１１１の四周辺のエッジから下向きに延伸した側板１１２とを含み、当該ヘッド板１１１と側板１１２と間に収納空間１１６が形成される。そして当該電子素子２を収納するように用いられることが出来ることにより、マスク体１１は当該電子素子２の外部を被覆できる。
【００１２】
当該マスク体１１のヘッド板１１１の上に一つの仮断線１１３が設けられる。当該仮断線１１３は半分切断・半分引伸ばし方式を利用することにより形成され（図２Ｂを参照）、そして断路（disconnect）の機能を具備できる。当該仮断線１１３は、当該マスク体１１のヘッド板１１１に近い四周辺のエッジ箇所に設けられ、当該仮断線１１３は枠型を呈する。
【００１３】
当該マスク体１１のヘッド板１１１の上の隣接する仮断線１１３の位置に少なくとも一つの空け穴１１４が設けられる。当該空け穴１１４は一つ，二つ又は他の適当な数設けられることが出来、本実施例中では、マスク体１１のヘッド部の両側辺にそれぞれ空け穴１１４（例えば図２Ａ，図３）が一つずつ設けられる。その他に中間に空け穴１１４（例えば図６）が一つ設けられることが出来、更に一側辺に空け穴１１４（例えば図７）が一つ設けられることが出来る。当該空け穴１１４は鋭い道具（例えばスクリュー・ドライバー）を利用して挿し込んで上向きに開けることにより当該マスク体１１のヘッド部には上向きに開けることが可能な一枚の方形カバー板１１５（例えば図５）を形成することに寄与できる。当該空け穴１１４もマスク体１１のヘッド部の他の適当な位置に設けられることが出来、且つ当該空け穴１１４も放熱穴などの他のタイプの穴を利用して代替できる。
【００１４】
当該マスク体１１の内部において、カバー板１１５の開けた箇所の対辺位置に接続品１２を一つ貼って設ける。当該接続品１２は可撓性を具える材質により製造された薄膜で、当該接続品１２はカバー板１１５とヘッド板１１１との間に設置される。当該接続品１２はカバー板１１５を開けた後に、当該カバー板１１５と当該ヘッド板１１１を接続するように用いられる。当該カバー板１１５を９０度まで開けたら、当該仮断線１１３はすべて切断される。つまり当該接続品１２がヒンジ（hinge）の機能を提供でき、前述の構成により本考案の電磁気妨害防止用遮蔽マスクの構造（三）を形成できる。
【００１５】
図４を参照する。本考案の遮蔽マスク１は、回路基板３上にセットされた電子素子２の外部を被覆でき、且つ当該遮蔽マスク１も回路基板３の上に適当に固定できる。従って当該遮蔽マスク１にて電磁波の遮蔽効果を提供することにより、電磁波の妨害が電子素子２の動作に影響を及ぼすことを防止できる。
【００１６】
図５を参照する。当該電子素子２を補修する必要がある時に、鋭い道具（例えばスクリュー・ドライバー）を利用して空け穴１１４に挿し込んで上向きに開けることにより、当該カバー板１１５を仮断線１１３に沿って上向きに開けることが出来る。カバー板１１５を開けた後に、補修を行なうことが出来る。当該カバー板１１５を更に９０度開ければ、当該仮断線１１３をすべて切断することができることにより、当該マスク体１１のヘッド部をより大きな開口状に形成でき、そして補修に寄与する。補修した後に、カバー板１１５を被せて回復できる。さらに遮蔽マスク１のヘッド部もその他に上カバー（図略）を加えて回復できる。
【００１７】
図８を参照する。本考案も、当該マスク体１１のヘッド板１１１の上の隣接する仮断線１１３の位置に少なくとも一つの突出部１１７を設けることが出来る。当該突出部１１７はマスク体１１のヘッド板１１１をプレスして形成される。当該突出部１１７はヘッド板１１１のヘッド面から突出し、且つ当該突出部１１７の内側に外を向く開口を具える空け穴１１８が形成される。当該空け穴１１８は鋭い道具（例えばスクリュー・ドライバー）を利用して上向きに開けることに寄与することにより、当該カバー板１１５を上向きに開けることが出来る。
【００１８】
図９を参照する。本考案も、当該マスク体１１のヘッド板１１１の上に多数の放熱穴１１９を開けて設けることが出来る。当該マスク体１１の内部に収納された電子素子２の放熱を補助するように用いられることが出来る。
【００１９】
本考案の遮蔽マスク１のマスク体１１は、ワン・ピース式で、一つの金型のみにより成型する必要があるだけである。従ってその製造コストがより安くなる。さらに、本考案の遮蔽マスク１は、補修した後にカバー板１１５を利用して回復できる。その他に上カバーを設けて回復してもよい。なお、上カバーの使用量が大幅に減少する可能性がある結果、補修する必要がある確率があまり高くなければ、例えば、量産する時に、遮蔽マスクの需要が毎月１０万枚で、補修率が１％である場合、上カバーの需要が１,０００枚のみであってもよく、必要な資材のコストを大幅に低減できる。
【００２０】
以上の叙述は本考案のより好ましい実施可能な実施例だけであり、これにより本考案の実用新案登録請求の範囲を限定するものではなく、従って本考案の明細書及び図面の内容を応用してなる等価な構造変化は、いずれも全て同義に本考案の範囲内に含まれ、ここに合わせて陳述する。
【図面の簡単な説明】
【００２１】
【図１】従来の遮蔽マスクと電子素子の斜視分解図である。
【図２Ａ】本考案の第１の実施例の遮蔽マスクの斜視図である。
【図２Ｂ】本考案の第１の実施例の遮蔽マスクの仮断線の模式図である。
【図３】本考案の第１の実施例の遮蔽マスクの他の角度の斜視図である。
【図４】本考案の第１の実施例の遮蔽マスクと電子素子の斜視分解図である。
【図５】本考案の第１の実施例の遮蔽マスクの開けた状態の斜視図である。
【図６】本考案の第２の実施例の遮蔽マスクの斜視図である。
【図７】本考案の第３の実施例の遮蔽マスクの斜視図である。
【図８】本考案の第４の実施例の遮蔽マスクの斜視図である。
【図９】本考案の第５の実施例の遮蔽マスクの斜視図である。
【符号の説明】
【００２２】
１  遮蔽マスク
２  電子素子
３  回路基板
７  遮蔽マスク
８  回路基板
９  電子素子
１１  マスク体
１２  接続品
７１  下カバー
７２  上カバー
１１１  ヘッド板
１１２  側板
１１３  仮断線
１１４  空け穴
１１５  カバー板
１１６  収納空間
１１７  突出部
１１８  空け穴
１１９  放熱穴
【図１】
0003136453.tif 000003
【図２Ａ】
0003136453.tif 000004
【図２Ｂ】
0003136453.tif 000005
【図３】
0003136453.tif 000006
【図４】
0003136453.tif 000007
【図５】
0003136453.tif 000008
【図６】
0003136453.tif 000009
【図７】
0003136453.tif 000010
【図８】
0003136453.tif 000011
【図９】
0003136453.tif 000012
【手続補正書】
【提出日】平成19年7月30日(2007.7.30)
【手続補正１】
【補正対象書類名】実用新案登録請求の範囲
【補正対象項目名】全文
【補正方法】変更
【補正の内容】
【実用新案登録請求の範囲】
【請求項１】
マスク体を一つ具え、当該マスク体の内部に収納空間を一つ設けた電磁気妨害防止用遮蔽マスクの構造であって、当該マスク体のヘッド部に近いエッジ箇所には枠型を呈する仮断線を一つ設け、当該マスク体のヘッド部に少なくとも一つの空け穴を設けることにより、当該マスク体のヘッド部には、上向きに開けることが可能な一枚のカバー板を形成することを特徴とする電磁気妨害防止用遮蔽マスクの構造。
【請求項２】
当該マスク体は、金属部であることを特徴とする請求項１記載の電磁気妨害防止用遮蔽マスクの構造。
【請求項３】
当該マスク体は、一つのヘッド板と当該ヘッド板のエッジから下向きに延伸した側板とを含み、当該収納空間が当該ヘッド板と側板と間に形成されたことを特徴とする請求項１記載の電磁気妨害防止用遮蔽マスクの構造。
【請求項４】
当該空け穴は、マスク体のヘッド部の両側辺、中間または一側辺に設けられたことを特徴とする請求項１記載の電磁気妨害防止用遮蔽マスクの構造。
【請求項５】
当該マスク体の上に少なくとも一つの突出部を設け、当該空け穴が当該突出部の内側に形成されたことを特徴とする請求項１記載の電磁気妨害防止用遮蔽マスクの構造。
【請求項６】
当該マスク体の内部において、カバー板の開けた箇所の対辺位置に接続品を一つ設け、当該接続品は当該カバー板と当該マスク体に接続されたことを特徴とする請求項１記載の電磁気妨害防止用遮蔽マスクの構造。
【請求項７】
当該接続品は、薄膜であることを特徴とする請求項６記載の電磁気妨害防止用遮蔽マスクの構造。
【請求項８】
当該空け穴は、当該マスク体上の隣接する仮断線の位置に設けられたことを特徴とする請求項１記載の電磁気妨害防止用遮蔽マスクの構造。
【手続補正２】
【補正対象書類名】明細書
【補正対象項目名】全文
【補正方法】変更
【補正の内容】
【考案の詳細な説明】
【技術分野】
【０００１】
本考案は、電磁気妨害防止用遮蔽マスクの構造に関し、特に電子素子の外部を被覆するように用いられることが出来、電磁波の遮蔽効果を提供し且つコストを低減できる遮蔽マスクの構造を指す。
【背景技術】
【０００２】
電磁波の妨害（ＥＭＩ）がチップ、中央処理装置などの電子素子の動作に影響を及ぼすことを防止するために、市場では既に電磁気の妨害を防止するように用いられる遮蔽マスク（例えば図１）があるが、当該遮蔽マスク７は一つの下カバー７１と一つの上カバー７２を含んでなる。当該下カバー７１は枠型を呈し、当該上カバー７２は下カバー７１に対応する板状体で、当該上カバー７２が下カバー７１のヘッド部に固着し、これにより中空状の遮蔽マスク７を構成する。そしてそれが回路基板８上にセットされた電子素子９の外部を被覆でき、且つ当該遮蔽マスク７が回路基板８上に適当に固定される。従って当該遮蔽マスク７にて電磁波の遮蔽効果を提供できることにより、電磁波の妨害が電子素子９の動作に影響を及ぼすことを防止する。
【０００３】
前述の従来の遮蔽マスク７は、ツー・ピースの組立て式で、その下カバー７１及び上カバー７２はいずれも金属打ち抜き品で、すべて金型により成型する必要がある。従ってその製造コストが比較的高くなる。
【０００４】
従って、以上から、前述の従来の遮蔽マスクの構造は、実使用上では、不便と欠点を著しく具備し、そして更なる改善を期待できることが分かる。
【０００５】
ゆえに本考案者は、前述の改善可能な欠点に鑑み、特に鋭意研究をし且つ学理の運用に対応し、ついに設計が合理で且つ有効に前述の欠点を改善する本考案を提出する。
【考案の開示】
【０００６】
本考案の主要な目的は、電磁気妨害防止用遮蔽マスクの構造を提供できるものにあり、それが電子素子の外部を被覆するように用いられることが出来、電磁波の遮蔽効果を提供し、且つその製造コストが比較的低くなり、また必要な資材コストを大幅に低減できる。
【０００７】
前述の目的を達成するために、本考案は電磁気妨害防止用遮蔽マスクの構造を提供し、それがマスク体を一つ具え、当該マスク体の内部に収納空間を一つ設け、当該マスク体のヘッド部に近いエッジ箇所には枠型を呈する仮断線を設け、当該マスク体のヘッド部に少なくとも一つの空け穴を設けることにより、当該マスク体のヘッド部には、上向きに開けることが可能な一枚のカバー板を形成する。
【０００８】
本考案は、主として遮蔽マスクのマスク体のヘッド部に枠型を呈する仮断線を設け、隣接する仮断線の位置には、少なくとも一つの空け穴を設け、鋭い道具を利用して挿し込んで上向きに開けることに寄与できることにより、マスク体のヘッド部には、上向きに開けることが可能な一枚のカバー板を形成する。当該カバー板の開けが非常に簡単且つ容易で、電子素子の補修に寄与できる。また当該遮蔽マスクのマスク体がワン・ピース式で、一つの金型のみにより成型する必要があるだけであり、従ってその製造コストが比較的低くくなり、また必要な資材コストを大幅に低減できる。
【０００９】
本考案の特徴および技術内容をより理解できるために、以下の本考案に関する詳細な説明及び図面を参照するが、しかしながら添付の図面が参考と説明用にだけ供し、本考案をより限定するように用いられるものではない。
【考案を実施するための最良の形態】
【００１０】
図２Ａと図３を参照する。本考案は電磁気妨害防止用遮蔽マスクの構造を提供し、当該遮蔽マスク１は金属材料から製造され、それが電子素子２（例えば図４）の外部を被覆するように用いられることが出来るマスク体１１を一つ具える。当該マスク体１１は箱形又は他の形状を呈する中空体であるが、その形状は限定されなく、電子素子２の外観の違いにより適当な変化が可能である。
【００１１】
当該マスク体１１は、金属材料を打ち抜いてなる金属品で、一つのヘッド板１１１と当該ヘッド板１１１の四周辺のエッジから下向きに延伸した側板１１２とを含み、当該ヘッド板１１１と側板１１２と間に収納空間１１６が形成される。そして当該電子素子２を収納するように用いられることが出来ることにより、マスク体１１は当該電子素子２の外部を被覆できる。
【００１２】
当該マスク体１１のヘッド板１１１の上に一つの仮断線１１３が設けられる。当該仮断線１１３は半分切断・半分引伸ばし方式を利用することにより形成され（図２Ｂを参照）、そして断路（disconnect）の機能を具備できる。当該仮断線１１３は、当該マスク体１１のヘッド板１１１に近い四周辺のエッジ箇所に設けられ、当該仮断線１１３は枠型を呈する。
【００１３】
当該マスク体１１のヘッド板１１１の上の隣接する仮断線１１３の位置に少なくとも一つの空け穴１１４が設けられる。当該空け穴１１４は一つ，二つ又は他の適当な数設けられることが出来、本実施例中では、マスク体１１のヘッド部の両側辺にそれぞれ空け穴１１４（例えば図２Ａ，図３）が一つずつ設けられる。その他に中間に空け穴１１４（例えば図６）が一つ設けられることが出来、更に一側辺に空け穴１１４（例えば図７）が一つ設けられることが出来る。当該空け穴１１４は鋭い道具（例えばスクリュー・ドライバー）を利用して挿し込んで上向きに開けることにより当該マスク体１１のヘッド部には上向きに開けることが可能な一枚の方形カバー板１１５（例えば図５）を形成することに寄与できる。当該空け穴１１４もマスク体１１のヘッド部の他の適当な位置に設けられることが出来、且つ当該空け穴１１４も放熱穴などの他のタイプの穴を利用して代替できる。
【００１４】
当該マスク体１１の内部において、カバー板１１５の開けた箇所の対辺位置に接続品１２を一つ貼って設ける。当該接続品１２は可撓性を具える材質により製造された薄膜で、当該接続品１２はカバー板１１５とヘッド板１１１との間に設置される。当該接続品１２はカバー板１１５を開けた後に、当該カバー板１１５と当該ヘッド板１１１を接続するように用いられる。当該カバー板１１５を９０度まで開けたら、当該仮断線１１３はすべて切断される。つまり当該接続品１２がヒンジ（hinge）の機能を提供でき、前述の構成により本考案の電磁気妨害防止用遮蔽マスクの構造を形成できる。
【００１５】
図４を参照する。本考案の遮蔽マスク１は、回路基板３上にセットされた電子素子２の外部を被覆でき、且つ当該遮蔽マスク１も回路基板３の上に適当に固定できる。従って当該遮蔽マスク１にて電磁波の遮蔽効果を提供することにより、電磁波の妨害が電子素子２の動作に影響を及ぼすことを防止できる。
【００１６】
図５を参照する。当該電子素子２を補修する必要がある時に、鋭い道具（例えばスクリュー・ドライバー）を利用して空け穴１１４に挿し込んで上向きに開けることにより、当該カバー板１１５を仮断線１１３に沿って上向きに開けることが出来る。カバー板１１５を開けた後に、補修を行なうことが出来る。当該カバー板１１５を更に９０度開ければ、当該仮断線１１３をすべて切断することができることにより、当該マスク体１１のヘッド部をより大きな開口状に形成でき、そして補修に寄与する。補修した後に、カバー板１１５を被せて回復できる。さらに遮蔽マスク１のヘッド部もその他に上カバー（図略）を加えて回復できる。
【００１７】
図８を参照する。本考案も、当該マスク体１１のヘッド板１１１の上の隣接する仮断線１１３の位置に少なくとも一つの突出部１１７を設けることが出来る。当該突出部１１７はマスク体１１のヘッド板１１１をプレスして形成される。当該突出部１１７はヘッド板１１１のヘッド面から突出し、且つ当該突出部１１７の内側に外を向く開口を具える空け穴１１８が形成される。当該空け穴１１８は鋭い道具（例えばスクリュー・ドライバー）を利用して上向きに開けることに寄与することにより、当該カバー板１１５を上向きに開けることが出来る。
【００１８】
図９を参照する。本考案も、当該マスク体１１のヘッド板１１１の上に多数の放熱穴１１９を開けて設けることが出来る。当該マスク体１１の内部に収納された電子素子２の放熱を補助するように用いられることが出来る。
【００１９】
本考案の遮蔽マスク１のマスク体１１は、ワン・ピース式で、一つの金型のみにより成型する必要があるだけである。従ってその製造コストがより安くなる。さらに、本考案の遮蔽マスク１は、補修した後にカバー板１１５を利用して回復できる。その他に上カバーを設けて回復してもよい。なお、上カバーの使用量が大幅に減少する可能性がある結果、補修する必要がある確率があまり高くなければ、例えば、量産する時に、遮蔽マスクの需要が毎月１０万枚で、補修率が１％である場合、上カバーの需要が１,０００枚のみであってもよく、必要な資材のコストを大幅に低減できる。
【００２０】
以上の叙述は本考案のより好ましい実施可能な実施例だけであり、これにより本考案の実用新案登録請求の範囲を限定するものではなく、従って本考案の明細書及び図面の内容を応用してなる等価な構造変化は、いずれも全て同義に本考案の範囲内に含まれ、ここに合わせて陳述する。
【図面の簡単な説明】
【００２１】
【図１】従来の遮蔽マスクと電子素子の斜視分解図である。
【図２Ａ】本考案の第１の実施例の遮蔽マスクの斜視図である。
【図２Ｂ】本考案の第１の実施例の遮蔽マスクの仮断線の模式図である。
【図３】本考案の第１の実施例の遮蔽マスクの他の角度の斜視図である。
【図４】本考案の第１の実施例の遮蔽マスクと電子素子の斜視分解図である。
【図５】本考案の第１の実施例の遮蔽マスクの開けた状態の斜視図である。
【図６】本考案の第２の実施例の遮蔽マスクの斜視図である。
【図７】本考案の第３の実施例の遮蔽マスクの斜視図である。
【図８】本考案の第４の実施例の遮蔽マスクの斜視図である。
【図９】本考案の第５の実施例の遮蔽マスクの斜視図である。
【符号の説明】
【００２２】
１  遮蔽マスク
２  電子素子
３  回路基板
７  遮蔽マスク
８  回路基板
９  電子素子
１１  マスク体
１２  接続品
７１  下カバー
７２  上カバー
１１１  ヘッド板
１１２  側板
１１３  仮断線
１１４  空け穴
１１５  カバー板
１１６  収納空間
１１７  突出部
１１８  空け穴
１１９  放熱穴